(57)【要約】  【目的】  低機能携帯電話Ｂでも音声付きで動画を見るようにする。  【構成】  低機能携帯電話Ｂから音声付き動画のリクエストが動画サーバ１にあった場合には，電話タグが含まれているＨＴＭＬデータおよびアニメーションＧＩＦデータが低機能携帯電話Ｂに送信される。ＨＴＭＬデータによって，低機能携帯電話Ｂの表示画面には，アニメーションＧＩＦデータによって表される擬似的な動画が音声なしで表示される。また，低機能携帯電話Ｂの表示画面には，押されることにより電話装置10に電話がかけられる電話領域も表示される。電話領域が押されると，電話装置10に電話がかけられ，電話装置10から低機能携帯電話Ｂに音声データが送信される。低機能携帯電話Ｂのスピーカから音声が出力される。  【選択図】  図１
2005150893.tif 000002
【特許請求の範囲】
【請求項１】
携帯型端末装置からの音声付き動画データのリクエストを受信する受信手段，
上記受信手段によるリクエストの受信に応じて上記携帯型端末装置が音声付き動画を再生できないかどうかを判定する判定手段，ならびに
上記判定手段により上記携帯型端末装置が音声付き動画を再生できないと判定されたことに応じて，音声が付随しない擬似的な動画を表す疑似動画データおよび音声データが格納されている電話装置の電話番号に電話をかけるデータを含むＨＴＭＬデータを上記携帯型端末装置に送信する第１の送信手段，
を備えた動画サーバ。
【請求項２】
上記第１の送信手段が，
上記携帯型端末装置が音声付き動画を再生できないと上記判定手段により判定されたことに応じて，疑似動画データのリクエストおよび音声データが格納されている電話装置の電話番号に電話をかけるデータを含むＨＴＭＬデータを送信するＨＴＭＬデータ送信手段，および
上記ＨＴＭＬデータを上記携帯型端末装置が受信したことに応答して上記携帯型端末装置から送信される疑似動画データのリクエストに応じて，疑似動画データを上記携帯型端末装置に送信する疑似動画データ送信手段，
を備えている請求項１に記載の動画サーバ。
【請求項３】
上記判定手段により，上記携帯型端末装置が音声付き動画を再生できると判定されたことに応じて上記音声付き動画データを，上記携帯型端末装置に送信する第２の送信手段をさらに備えた請求項１に記載の動画サーバ。
【請求項４】
携帯型端末装置からの音声付き動画データのリクエストを受信し，
リクエストの受信に応じて上記携帯型端末装置が音声付き動画を再生できないかどうかを判定し，
上記携帯型端末装置が音声付き動画を再生できないと判定されたことに応じて，音声が付随しない擬似的な動画を表す疑似動画データおよび音声データが格納されている電話装置の電話番号に電話をかけるデータを含むＨＴＭＬデータを上記携帯型端末装置に送信する，
動画サーバの制御方法。
【請求項５】
携帯型端末装置からの音声付き動画データのリクエストを受信させ，
リクエストの受信に応じて上記携帯型端末装置が音声付き動画を再生できないかどうかを判定させ，
上記携帯型端末装置が音声付き動画を再生できないと判定されたことに応じて，音声が付随しない擬似的な動画を表す疑似動画データおよび音声データが格納されている電話装置の電話番号に電話をかけるデータを含むＨＴＭＬデータを上記携帯型端末装置に送信させるように動画サーバを制御するプログラム。
【請求項６】
請求項５に記載のプログラムを格納した記録媒体。
【発明の詳細な説明】
【技術分野】
【０００１】
この発明は，動画サーバ，その制御方法ならびに動画サーバを制御するプログラムに関する。
【背景技術】
【０００２】
携帯電話などの端末装置に音声データ付きの動画データを送信することにより，音声付きの動画を鑑賞することができるようになってきている。また，単に動画を鑑賞するだけでなく，動画データを送信する動画サーバを遠隔操作できるものも考えられている（特許文献１）。
【特許文献１】特開2002-369130号公報
【０００３】
ところが，携帯電話の機種によっては音声付きの動画を再生できないものもある。このような携帯電話では音声を聞きながら動画を見ることはできない。
【発明の開示】
【０００４】
この発明は，音声を聞きながら動画を見ることができるようにすることを目的とする。
【０００５】
この発明による動画サーバは，携帯型端末装置からの音声付き動画データのリクエストを受信する受信手段，上記受信手段によるリクエストの受信に応じて上記携帯型端末装置が音声付き動画を再生できないかどうかを判定する判定手段，ならびに上記判定手段により上記携帯型端末装置が音声付き動画を再生できないと判定されたことに応じて，音声が付随しない擬似的な動画を表す疑似動画データおよび音声データが格納されている電話装置の電話番号に電話をかけるデータを含むＨＴＭＬデータを上記携帯型端末装置に送信する第１の送信手段を備えていることを特徴とする。
【０００６】
この発明は，上記動画サーバを制御する方法も提供している。すなわち，この方法は，携帯型端末装置からの音声付き動画データのリクエストを受信し，リクエストの受信に応じて上記携帯型端末装置が音声付き動画を再生できないかどうかを判定し，上記携帯型端末装置が音声付き動画を再生できないと判定されたことに応じて，音声が付随しない擬似的な動画を表す疑似動画データおよび音声データが格納されている電話装置の電話番号に電話をかけるデータを含むＨＴＭＬデータを上記携帯型端末装置に送信するものである。
【０００７】
また，この発明は，上記動画サーバを制御するためのプログラムおよびそのプログラムを格納した記録媒体も提供している。
【０００８】
この発明によると，携帯型端末装置からの音声付き動画データのリクエストが受信されると，リクエストした携帯型端末装置が音声付き動画を再生できないかどうかが判定される。携帯型端末装置が音声付き動画を再生できないと判定されると，音声が付随しない擬似的動画データ｛アニメーションＧＩＦ（graphics interchange format）にしたがったデータ，ＭＮＧ（Multiple-Image Network Graphics）にしたがったデータなど｝および音声データが格納されている電話装置の電話番号に電話をかけるデータを含むＨＴＭＬ（hiper-text markup language）データが携帯型端末装置に送信される。
【０００９】
動画データから送信された疑似動画データおよびＨＴＭＬデータが携帯型端末装置において受信される。すると，疑似動画データによって表される疑似動画が携帯型端末装置の表示画面上に表示される。また，ＨＴＭＬデータに含まれるタグによって規定される電話をかける領域（電話領域，ボタン）が携帯型端末装置の表示画面上に表示される。携帯型端末装置の表示画面上に表示される電話領域が携帯型端末装置のユーザによってクリックされると，ＨＴＭＬデータに含まれるタグによって規定される電話番号をもつ電話装置に電話がかけられる。電話装置には，音声データが格納されている。電話がかかったことにより，電話装置から携帯型端末装置に音声データが送信される。携帯型端末装置から動画の音声が出力される。携帯型端末装置が音声付きの動画を再生できないものであったとしても，音声を聞きながら動画（擬似動画）を鑑賞できるようになる。
【００１０】
上記第１の送信手段は，たとえば，上記携帯型端末装置が音声付き動画を再生できないと上記判定手段により判定されたことに応じて，疑似動画データのリクエストおよび音声データが格納されている電話装置の電話番号に電話をかけるデータを含むＨＴＭＬデータを送信するＨＴＭＬデータ送信手段，および上記ＨＴＭＬデータを上記携帯型端末装置が受信したことに応答して上記携帯型端末装置から送信される疑似動画データのリクエストに応じて，疑似動画データを上記携帯型端末装置に送信する疑似動画データ送信手段を備えている。
【００１１】
上記判定手段により，上記携帯型端末装置が音声付き動画を再生できると判定されたことに応じて上記音声付き動画データを，上記携帯型端末装置に送信する第２の送信手段をさらに備えるようにしてもよい。
【実施例】
【００１２】
図１は，この発明の実施例を示すもので，動画システムの概要を示している。
【００１３】
動画システムには，リクエストに応じて動画データ｛音声付き動画データ（いわゆるＡＶＩ（audio video interleaved）ファイルの音声付動画データ），アニメーションＧＩＦデータ（疑似動画データ）｝を送信する動画サーバ１が含まれている。プログラムが格納されているCD-ROM（コンパクト・ディスク−リード・オンリ・メモリ）２が動画サーバ１にインストールされることにより，動画サーバ１は後述するように動作する。動画サーバ１には，音声付きの動画データが格納されている動画データベース３が接続されている。音声データについては，動画サーバ１から電話装置10に送信され，電話装置10のメモリに記憶される。
【００１４】
動画サーバ１には，ＣＰＵ，メモリ，通信装置，CD-ROMドライバ等が含まれているのはいうまでもない。
【００１５】
この実施例による動画システムにおいては，高機能携帯電話（音声付き動画を再生できる端末）Ａから動画リクエストがあった場合と，低機能携帯電話（音声付き動画を再生できない端末）Ｂから動画リクエストがあった場合とでリクエストに応じて送信すべき動画データの種類が異なる。高機能携帯電話Ａおよび低機能携帯電話Ｂのいずれも表示装置およびスピーカが設けられている。
【００１６】
高機能携帯電話Ａから動画リクエストがあった場合には，動画データベース３に記憶されている音声付き動画データが，そのリクエストに応じて動画サーバ１から高機能携帯電話Ａに送信される。高機能携帯電話Ａには音声付き動画データによって表される動画が音声とともに再生される。
【００１７】
低機能携帯電話Ｂから動画リクエストがあった場合には，動画サーバ１から音声付き動画データによって表される動画を表すアニメーションＧＩＦデータ（音声データは付随していないもので，動画サーバ１においてあらかじめ作成されている。）が，そのリクエストに応じて動画サーバ１から低機能携帯電話Ｂに送信される。低機能携帯電話Ｂの表示装置には，アニメーションＧＩＦデータによって表される疑似的な動画が表示されることとなる。また，低機能携帯電話Ｂには，動画サーバ１からＨＴＭＬデータも送信される。このＨＴＭＬデータには，上述したように音声データが記憶されている電話装置10の電話番号がリンクされているデータ（タグ）が含まれている。低機能携帯電話10の表示装置には，押される（クリックされる）ことにより電話番号に電話がかけられる電話領域が表示される。その電話領域が携帯端末Ｂのユーザによって押されることにより，低機能携帯電話Ｂから電話装置10に電話がかけられる。これにより，電話装置10に記憶されている音声データが読み出され，低機能携帯電話Ｂに送信される。低機能携帯電話Ｂのスピーカから音声が出力される。
【００１８】
図２は，低機能携帯電話Ｂから動画サーバ１に動画リクエストがあった場合の処理手順を示すフローチャートである。
【００１９】
動画リクエスト（たとえば，http://000/001.aviの送信），音声付き動画を再生できる機種かどうかを示すデータが低機能付き携帯電話Ｂから動画サーバ１に送信される。
【００２０】
低機能携帯電話Ｂから送信されたリクエスト等が動画サーバ１において受信されると，そのリクエストをした低機能携帯電話Ｂが音声付き動画を再生できないものであると判断される。すると，動画サーバ１から電話装置10に，リクエストのあった音声付き動画データに対応する音声データが送信される（アップロードされる）。音声データが電話装置10に記憶される。
【００２１】
また，動画サーバ１から電話装置10に電話番号リクエストが送信され，電話番号を示すデータが電話装置10から動画サーバ１に送信される。
【００２２】
電話装置10の電話番号を表すデータが動画サーバ１において受信されると，動画サーバ１においてＨＴＭＬデータが生成される。
【００２３】
図３，生成されるＨＴＭＬデータ（ＨＴＭＬファイル）の一例である。
【００２４】
第１行および第９行は，ＨＴＭＬデータであることを示すものである。
【００２５】
第２行から第４行は，ＨＴＭＬファイルのヘッダ情報を示すものである。
【００２６】
第５行から第８行は，ボディである。このボディのうち，第６行は，アニメーションＧＩＦデータのリクエスト（http://000/001.avi?Mode=GIF）を動画サーバ１に送信するためのものであり，第７行は，電話タグを示している。この電話タグによって，低機能携帯電話Ｂの表示装置に表示される電話領域が押されることにより，このタグの内容によって指定される電話装置10の電話番号（999-9999）に電話がかけられる。また，この電話タグには電話領域に文字「音声はこちら」が表示されるような指定も行われている。
【００２７】
動画サーバ１から送信されたＨＴＭＬデータが低機能携帯電話装置Ｂにおいて受信されると，その受信したＨＴＭＬデータに電話タグが含まれているかどうかが検出される。電話タグが含まれていれば，低機能携帯電話装置Ｂから動画サーバ１にアニメーションＧＩＦデータのリクエスト（http://000/001.avi?Mode=GIF/）が送信される。
【００２８】
低機能携帯電話装置Ｂから送信されたアニメーションＧＩＦデータのリクエストが動画サーバ１において受信されると（ＵＲＬ：uniform resource locator の引数にGIFの文字が含まれていることによりアニメーションＧＩＦデータのリクエストであることが判断される），あらかじめ生成されているアニメーションＧＩＦデータが低機能携帯電話装置Ｂに送信される。アニメーションＧＩＦデータは，低機能携帯電話Ｂからのリクエストに応じて生成するようにしてもよい。
【００２９】
低機能携帯電話Ｂにおいては，表示装置の表示画面にアニメーションＧＩＦデータによって表される疑似動画および電話領域が表示される。
【００３０】
図４は，低機能携帯電話Ｂの表示画面に表示される画像の一例である。
【００３１】
表示画面20には，画像表示領域21および上述した電話領域22が表示される。電話領域22には，上述したようにＨＴＭＬデータの電話タグに含まれている文字「音声はこちら」が表示されている。電話領域22が低機能携帯電話装置Ｂに形成されているキーパッドを用いて押される（クリックされる）ことにより，電話装置10に電話がかけられる（発呼）。
【００３２】
低機能携帯電話Ｂからの発呼が電話装置10において検出されると，上述のように動画サーバ１から送信されていた音声データが低機能携帯電話Ｂに送信される。
【００３３】
電話装置10から送信された音声データが低機能携帯電話Ｂにおいて受信されることにより，低機能携帯電話Ｂのスピーカから音声が出力される。
【００３４】
このようにして，動画表示ができない低機能携帯電話Ｂであっても擬似的な動画（アニメーションＧＩＦデータにもとづく動画）の表示および音声出力のいずれもできるようになる。
【００３５】
上述した実施例においては，低機能携帯電話Ｂから動画サーバ１に動画リクエストがあった場合について説明したが，高機能携帯電話Ａから動画サーバ１に動画リクエストがあった場合には，単に音声付き動画データを送信すればよい。その音声付き動画データによって表される動画が音声付きで高機能携帯電話Ａにおいて再生される。
【００３６】
また，上述の実施例においては，携帯電話について説明したが，電話をかけることができるＰＤＡ（personal digital assistants）などの携帯型端末装置にも利用できるのはいうまでもない。
【図面の簡単な説明】
【００３７】
【図１】動画システムの概要を示している。
【図２】低機能携帯電話から動画サーバに動画リクエストがあった場合の処理を示している。
【図３】ＨＴＭＬデータの一例である。
【図４】低機能携帯電話の表示画面を示している。
【符号の説明】
【００３８】
１  動画サーバ
２  CD-ROM
３  動画データベース
10  電話装置
20  表示画面
21  画像表示領域
22  電話領域
Ａ  高機能携帯電話
Ｂ  低機能携帯電話
【図１】
2005150893.tif 000003
【図２】
2005150893.tif 000004
【図３】
2005150893.tif 000005
【図４】
2005150893.tif 000006